(57)【要約】【課題】  融雪流体の管体の入口側の温度と出口側の温度を可及的に均一にし、管体を短くせずとも融雪ムラを可及的に生じないようにした実用性に秀れる融雪装置を提供するものである。【解決手段】  管体１内に所定温度の融雪流体を流通せしめて融雪する融雪装置であって、前記管体１の上流側所定領域は、他の領域に比し熱伝導率が低い部材で構成されているものである。【選択図】      図１
2005188234.tif 000002
【特許請求の範囲】
【請求項１】
管体内に所定温度の融雪流体を流通せしめて融雪する融雪装置であって、前記管体の上流側所定領域は、他の領域に比し熱伝導率が低い部材で構成されていることを特徴とする融雪装置。
【請求項２】
請求項１記載の融雪装置において、管体の入口には融雪流体を導入する供給管が連設され、また、管体の出口には熱交換済みの融雪流体を排出する排出管が連設され、前記供給管及び排出管は加熱手段を介して連設されていることを特徴とする融雪装置。
【請求項３】
請求項２記載の融雪装置において、管体は所定形状のパネル体に設けられていることを特徴とする融雪装置。
【請求項４】
請求項３記載の融雪装置において、供給管及び排出管はパネル体に設けられていることを特徴とする融雪装置。
【発明の詳細な説明】
【技術分野】
【０００１】
本発明は、融雪装置に関するものである。
【背景技術】
【０００２】
従来から、コンクリート製のパネル体の内部に放熱管を埋め込み、この放熱管に水や不凍液に代表される熱媒体を通過させることで融雪を行う構造の無散水融雪装置がある。
【０００３】
この無散水融雪装置は、前記放熱管の入口に、例えば不凍液を該放熱管に供給する供給管が設けられ、更に、該放熱管の出口には、該放熱管を通過した熱交換済み不凍液を排出する排出管が設けられ、この排出管及び供給管の間にボイラーが設けられており、不凍液は循環される構成である。
【０００４】
ところで、このような無散水融雪装置において、前記放熱管を通過する不凍液や地下水の熱が放熱管から徐々に放散し、入口側の温度と出口側の温度とに差異が生じて融雪ムラが生じるという問題がある。
【０００５】
特に、最近、熱伝導性の高いコンクリートが開発されており、このようなコンクリートを採用した場合における融雪ムラは一層顕著となっている。
【０００６】
この問題を解決するため、入口側の不凍液や地下水の温度と出口側の不凍液や地下水の温度との差異を可及的に少なくするために、放熱管を短くする方法、即ち、小型のパネル体が提案されているが、小型のパネル体は、所定の融雪領域を確保するために多くのパネル体が必要となる。また、多くのパネル体の連結は作業的に厄介である。
【発明の開示】
【発明が解決しようとする課題】
【０００７】
本発明は、上述の問題点を解決したもので、熱伝導率の異なる部材を放熱管（管体）に用いることにより、融雪流体の管体の入口側の温度と出口側の温度を可及的に均一にし、管体を短くせずとも融雪ムラを可及的に生じないようにした実用性に秀れる融雪装置を提供するものである。
【課題を解決するための手段】
【０００８】
添付図面を参照して本発明の要旨を説明する。
【０００９】
管体１内に所定温度の融雪流体を流通せしめて融雪する融雪装置であって、前記管体１の上流側所定領域は、他の領域に比し熱伝導率が低い部材で構成されていることを特徴とする融雪装置に係るものである。
【００１０】
また、請求項１記載の融雪装置において、管体１の入口には融雪流体を導入する供給管２が連設され、また、管体１の出口には熱交換済みの融雪流体を排出する排出管３が連設され、前記供給管２及び排出管３は加熱手段を介して連設されていることを特徴とする融雪装置に係るものである。
【００１１】
また、請求項２記載の融雪装置において、管体１は所定形状のパネル体４に設けられていることを特徴とする融雪装置に係るものである。
【００１２】
また、請求項３記載の融雪装置において、供給管２及び排出管３はパネル体４に設けられていることを特徴とする融雪装置に係るものである。
【発明の効果】
【００１３】
本発明は上述のように構成したから、融雪流体の管体の入口側の温度と出口側の温度を可及的に均一にし、管体を短くせずとも融雪ムラを可及的に生じないようにした実用性に秀れた融雪装置となる。
【発明を実施するための最良の形態】
【００１４】
好適と考える本発明の実施形態を、図面に基づいてその作用を示して簡単に説明する。
【００１５】
管体１を流通する所定温度の融雪流体は、管体１の上流側所定領域における過剰な放熱が阻止され、融雪に必要な所定温度を保った状態で管体１の他の領域まで流通せしめることができ、従って、放熱管を短くする必要なく融雪ムラを可及的に阻止できる。
【実施例】
【００１６】
本発明の具体的な実施例について図面に基づいて説明する。
【００１７】
本実施例は、管体１内に所定温度の融雪流体を流通せしめて融雪する融雪装置であって、前記管体１の上流側所定領域は、他の領域に比し熱伝導率が低い部材で構成されているものである。
【００１８】
具体的には、図１に図示したように、コンクリートブロックから成るパネル体４に放熱管としての管体１が埋設され、このパネル体４には、管体１の入口と連設する融雪流体を導入する供給管２が設けられると共に、管体１の出口と連設する熱交換済みの融雪流体を排出する排出管３が設けられ、この供給管２及び排出管３は加熱手段であるボイラを介して連設されたものである。図中符号５は流量調節用のバルブ，６はパネル体４同志を連結するための連結部（フレキシブルジョイント）である。
【００１９】
このパネル体４を、一若しくは複数並設状態に路盤に埋設若しくは敷設することで所定の融雪領域を形成する。
【００２０】
即ち、本実施例は、例えば不凍液等の融雪流体にボイラにより熱を付与し、これを熱媒体として管体１，供給管２及び排出管３を循環せしめ、この熱媒体からの放熱によりこのパネル体４上の積雪を融雪するものである。尚、融雪流体としては、水道水，地下水等他のものを採用しても良い。また、加熱手段としてボイラ以外の他の加熱手段を採用しても良い。
【００２１】
本実施例の管体１は、前記供給管２と連設される入口側、即ち、管体１の上流側所定領域は、他の領域に比して熱伝導率の低い部材で形成されている。
【００２２】
具体的には、この管体１の上流側所定領域における放熱を抑制するために、該管体１の上流側所定領域を、一般的な熱伝導率の部材で形成された管体１の前記他の領域より相対的に熱伝導率が低い部材で形成する。
【００２３】
また、上流側所定領域を一般的な熱伝導率とし、前記他の領域をこの上流側所定領域より熱伝導率の高い部材で形成しても良いが、この場合には、この上流側所定領域における過剰な放熱を抑制できないため好ましくない。
【００２４】
管体１の上流側所定領域を形成する部材と他の領域を形成する部材の組み合わせとしては、例えば、樹脂管と鋼管，内面ライニング鋼管と普通鋼管，肉厚の管と肉薄の管等の組み合わせが挙げられる。
【００２５】
具体的には、本実施例は、管体１を上流側所定領域と他の領域とに等分し、管体１の上流側領域を樹脂管１ａで構成し、この管体１の他の領域（即ち、下流側領域）を鋼管１ｂで構成している。尚、本実施例においては、管体１の上流側所定領域と他の領域とを等分した構成であるが、上流側所定領域を全体の３分の１程度に設定する等、他の比率で区分しても良い。
【００２６】
従って、管体１を流通する融雪流体は、この管体１の上流側において放熱が過剰に行われず、融雪作用を発揮し得る所定温度を保った状態で下流側に流通させることができ、仮に熱伝導率の高いコンクリートブロックによりパネル体４を構成しても、融雪流体の管体１の入口側での過剰な放熱が阻止され、出口側まで所定温度を保持した状態でこの融雪流体を流通させることができ、従って、従来生じていたような融雪ムラを生じないことになる。
【００２７】
また、本実施例においては、前記複数のパネル体４で形成する融雪領域の、上流側所定領域と他の領域との熱伝導率を可変する構成ではなく、一のパネル体４毎に前記管体１の上流側所定領域と他の領域との熱伝導率を可変する構成である。従って、個々のパネル体４における熱伝導率を設定するだけで良いから設定が容易であり、融雪領域全体を確実にムラなく融雪できる。
【００２８】
また、管体１は、パネル体４に埋設する構成であるから、現場でコンクリート打設により施工できる構成であるのは勿論、工場で予め形成したものを現場で単に配設するだけで施工することもできる。
【００２９】
更に、本実施例は、上述の管体１に加え、前記供給管２及び排出管３も前記パネル体４に設けた構成であるから、路盤に埋設する際、供給管２及び排出管３を別工程（コンクリート打設施工）で路盤に設ける必要なく、単にこのパネル体４を埋設するだけで施工することができ、極めて作業性に秀れたものとなる。
【００３０】
本実施例は上述のように構成したから、管体１を流通する所定温度の融雪流体は、管体１の上流側所定領域における過剰な放熱が阻止され、融雪に必要な所定温度を保った状態で管体１の他の領域まで流通せしめることができ、従って、放熱管を短くする必要なく融雪ムラを可及的に阻止できる。
【００３１】
また、管体１，供給管２及び排出管３をパネル体４に設けた構成であるから、施工が極めて容易且つコスト安となり、極めて作業性に秀れたものとなる。
【００３２】
従って、本実施例は、融雪流体の管体の入口側の温度と出口側の温度を可及的に均一にし、管体を短くせずとも融雪ムラを可及的に生じないようにした実用性に秀れる融雪装置となる。
【００３３】
尚、融雪実験により、本実施例を用いてパネル体４上の積雪をムラなく融雪できることは確認済みである。
【図面の簡単な説明】
【００３４】
【図１】本実施例の概略説明平断面図である。
【符号の説明】
【００３５】
１  管体
２  供給管
３  排出管
４  パネル体
【図１】
2005188234.tif 000003